【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
前面が開口した箱形形状に構成され、前面枠が開閉可能に軸着された本体枠と、
前記本体枠内部に、複数の図柄を可変表示する可変表示装置を載置させる載置部材と、
前記本体枠の左右両側壁に、それぞれ開口して形成された把持用開口部と、
を備える遊技機において、
前記把持用開口部に、金属板を折り曲げ形成した保護部材を設け、
前記保護部材は、
前記把持用開口部の前後幅と略等しく設定し、断面略コ字状に折り曲げ形成すると共に、該略コ字状の開口側を前記把持用開口部の上縁部に嵌合させた本体部と、
前記本体部の内側から略垂直上方に延びる垂直面と、
前記垂直面の上部を該垂直面と略直交するように折り曲げ形成した支持部と、を備え、
前記支持部は、
前後に長尺な平面に形成された上面部と、
前記上面部の後端部から前方やや上側に折り返して設けられた挟み部と、
を有し、
前記載置部材の後部の左右端部がそれぞれ前記挟み部と前記上面部との協働で挟み込まれ、かつ、前記載置部材の後端の左右部分をそれぞれ前記挟み部の基端部に当接するまで押し込むことで、前記載置部材を位置決めすることを特徴とする遊技機。
【請求項２】
前記載置部材は、前記可変表示装置を載置するための載置面を備え、
前記載置面は、
当該載置面を切り欠いて形成した切欠片を、前方やや上側に突出するように折曲げ形成した係合部と、
前記可変表示装置の各リール同士を仕切る仕切部材の下端部の移動を規制する切欠部と、
を備え、
前記係合部が、前記可変表示装置の後部に係合して、該可変表示装置の上方向及び後方への移動を規制し、前記切欠部が前記仕切部材の下端部の左右方向及び後方への移動を規制することで、該可変表示装置を位置決めすることを特徴とする請求項１記載の遊技機。
【手続補正２】
【補正対象書類名】明細書
【補正対象項目名】００１０
【補正方法】変更
【補正の内容】
【００１０】
【課題を解決するための手段】
上記課題を解決するため、
請求項１記載の発明は、
前面が開口した箱形形状に構成され、前面枠が開閉可能に軸着された本体枠と、
前記本体枠内部に、複数の図柄を可変表示する可変表示装置を載置させる載置部材と、
前記本体枠の左右両側壁に、それぞれ開口して形成された把持用開口部と、
を備える遊技機において、
前記把持用開口部に、金属板を折り曲げ形成した保護部材を設け、
前記保護部材は、
前記把持用開口部の前後幅と略等しく設定し、断面略コ字状に折り曲げ形成すると共に、該略コ字状の開口側を前記把持用開口部の上縁部に嵌合させた本体部と、
前記本体部の内側から略垂直上方に延びる垂直面と、
前記垂直面の上部を該垂直面と略直交するように折り曲げ形成した支持部と、を備え、
前記支持部は、
前後に長尺な平面に形成された上面部と、
前記上面部の後端部から前方やや上側に折り返して設けられた挟み部と、
を有し、
前記載置部材の後部の左右端部がそれぞれ前記挟み部と前記上面部との協働で挟み込まれ、かつ、前記載置部材の後端の左右部分をそれぞれ前記挟み部の基端部に当接するまで押し込むことで、前記載置部材を位置決めすることを特徴としている。
【手続補正３】
【補正対象書類名】明細書
【補正対象項目名】００１１
【補正方法】変更
【補正の内容】
【００１１】
本体枠は、例えば、木製であるが、木製に限らず樹脂製でもよい。
【手続補正４】
【補正対象書類名】明細書
【補正対象項目名】００１２
【補正方法】変更
【補正の内容】
【００１２】
また、保護部材のうち、把持用開口部の角に対応する部分や、一方の角から他方の角に亘る部分（側壁の外側から把持用開口部の上面にかけての部分、把持用開口部の上面に対応する部分、把持用開口部の上面から側壁の内側にかけての部分）は、曲面形状としてもよく、このようにした場合、手触りがよりソフトになる。
【手続補正５】
【補正対象書類名】明細書
【補正対象項目名】００１３
【補正方法】変更
【補正の内容】
【００１３】
また、載置部材は、例えば、板状のものであり、その左右幅は、本体枠の内側の左右幅とほぼ等しく設定されている。支持部は、例えば、その上面により、載置部材の左右の縁部を下側から支持するものである。
【手続補正６】
【補正対象書類名】明細書
【補正対象項目名】００１４
【補正方法】変更
【補正の内容】
【００１４】
この請求項１記載の発明によれば、載置部材を取付ける際には、載置部材の後部の左右端部をそれぞれ挟み部と上面部との協働で挟み込み、かつ、載置部材の後端の左右部分をそれぞれ挟み部の基端部に当接するまで押し込むことで、載置部材を位置決めするので、従来に比べて、取付作業の際の位置決めが容易になる。
しかも、保護部材は把持用開口部の前後幅と略等しく設定し、断面略コ字状に折り曲げ形成すると共に、該略コ字状の開口側を把持用開口部の上縁部に嵌合させる本体部と、本体部の内側から略垂直上方に延びる垂直面と、該垂直面の上部を該垂直面と略直交するように折り曲げ形成した支持部と、を有する保護部材を本体枠に取付けるので、支持部の取付けも同時に成し得ることができ、遊技機の製造工程を短縮し、人件費などのコストダウンが可能となる。
さらに、保護部材の支持部は、把持用開口部よりも上方に位置するので、不正行為を行う目的で、把持用開口部を介して該把持用開口部より上側部分に何らかのものを差し込もうとする際に、この侵入を載置部材又は支持部が阻止できるので、不正行為が行われる可能性を低減できる。
【手続補正７】
【補正対象書類名】明細書
【補正対象項目名】００１５
【補正方法】変更
【補正の内容】
【００１５】
請求項２記載の発明は、請求項１記載の遊技機において、
前記載置部材は、前記可変表示装置を載置するための載置面を備え、
前記載置面は、
当該載置面を切り欠いて形成した切欠片を、前方やや上側に突出するように折曲げ形成した係合部と、
前記可変表示装置の各リール同士を仕切る仕切部材の下端部の移動を規制する切欠部と、
を備え、
前記係合部が、前記可変表示装置の後部に係合して、該可変表示装置の上方向及び後方への移動を規制し、前記切欠部が前記仕切部材の下端部の左右方向及び後方への移動を規制することで、該可変表示装置を位置決めすることを特徴としている。
【手続補正８】
【補正対象書類名】明細書
【補正対象項目名】００１６
【補正方法】変更
【補正の内容】
【００１６】
係合部は、例えば、載置部材の奥側の上面から前方やや上側に突出して設けられ、載置部材上に載置された可変表示装置を、奥側に押し込むことで、係合部が可変表示装置の後部に係合するようになっている構成が挙げられる。この場合、載置部材の係合部を可変表示装置の後部に係合させた状態で、該可変表示装置の手前側部分を、ビス止めなどにより載置部材に固定すれば、可変表示装置の後部（奥側部分）及び手前側が、ともに位置決め固定されるこの場合、従来のように、可変表示装置の後部を、本体枠にビス止めしたりする必要がないので、可変表示装置の位置決め固定が容易になる。
【手続補正９】
【補正対象書類名】明細書
【補正対象項目名】００１７
【補正方法】変更
【補正の内容】
【００１７】
この請求項２記載の発明によれば、載置部材は、可変表示装置を載置するための載置面に、この載置面を切り欠いて形成した切欠片を、前方やや上側に突出するように折曲げ形成した係合部と、可変表示装置の各リール同士を仕切る仕切部材の下端部の移動を規制する切欠部と、を備え、係合部が、可変表示装置の後部に係合して、可変表示装置の上方向及び後方への移動を規制し、切欠部が仕切部材の下端部の左右方向及び後方への移動を規制することで、可変表示装置が位置決めされるので、可変表示装置の位置決めが容易になる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００３１
【補正方法】変更
【補正の内容】
【００３１】
また、リール装置２００は、各々複数の図柄が付されたリール２０ａ〜２０ｃ、該リール２０ａ〜２０ｃを回転駆動させるためのステッピングモータ（図示略）、リール２０ａ〜２０ｃ同士を仕切る仕切り部材（仕切部材）２１，２１，２１、および、前面開口した箱形形状に構成されてリール２０ａ〜２０ｃを収容したリール収容部材２２等を備えている。
このリール装置２００は、機枠１ａの内側に略水平状態に固定された載置部材６０（詳細は後述）の上面に載置されている。


【手続補正１９】
【補正対象書類名】明細書
【補正対象項目名】００３６
【補正方法】変更
【補正の内容】
【００３６】
このような機枠１ａの左右の両側壁１０１，１０２には、当該パチスロ遊技機１００を持ち運ぶ際に手を差し入れて両側壁１０１，１０２を把持するための把持用開口部１１１，１１２が、それぞれ形成されている。
この開口部１１１，１１２は、例えば、長手方向が、当該パチスロ遊技機１００のほぼ前後方向となっている。
なお、この開口部１１１，１１２は、手前側（前側）が低くなるように、その長手方向が傾斜していてもよいし、該長手方向が略水平であってもよい。


【手続補正２０】
【補正対象書類名】明細書
【補正対象項目名】００３９
【補正方法】変更
【補正の内容】
【００３９】
このうち、本体部４１は、図３及び図５（開口部１１１側の図示を省略）に示すように、例えば、金属板等を断面略コ字状に折り曲げ形成したものであり、その前後幅が、開口部１１１，１１２の前後幅と略等しく設定されている。
このような本体部４１は、略コ字形状の開口側を開口部１１１，１１２の上縁部に嵌合させることで、機枠１ａの側壁１０１，１０２のうち、開口部１１１，１１２の上縁部の外側から内側にかけての部分を覆った状態に配設されている。このように開口部１１１，１１２の上縁部に保護部材４０の本体部４１が配設されることで、開口部１１１，１１２に手を差し入れてパチスロ遊技機１００を持ち運ぶ際に該上縁部に手が直接触れてしまうことが防止されている。
なお、保護部材４０の本体部４１のうち、開口部１１１，１１２の角に対応する部分や、一方の角から他方の角に亘る部分は、曲面形状としてもよく、この場合、手触りがよりソフトになる。


【手続補正２１】
【補正対象書類名】明細書
【補正対象項目名】００４０
【補正方法】変更
【補正の内容】
【００４０】
他方、保護部材４０のうち、支持部５０は載置部材６０の左右の縁部の一方ずつを支持して該載置部材６０を略水平状態に保つためものであり、当該保護部材４０の本体部４１と一体形成されている。
この支持部５０は、例えば、前後に長尺な平面に形成された上面部５１と、この上面部５１の後端側（具体的には、例えば、後端部）から、前方やや上側に折り返して設けられ、該上面部５１との協働で載置部材６０の後部を挟み込む挟み部５２とを備えている。
保護部材４０は、例えば、この支持部５０と本体部４１とを含めて、金属板等を折り曲げ形成したものであり、本体部４１の一方の側（内側）を含んで、該一方の側（内側）から略垂直上方に延びる垂直面４４の上部を、該垂直面４４と略直交するように折曲げ形成することで、支持部５０の上面部５１が設けられている。


【手続補正２２】
【補正対象書類名】明細書
【補正対象項目名】００４４
【補正方法】変更
【補正の内容】
【００４４】
このうち、載置面６１のやや後部よりの位置には、リール装置２００の後部に係合して、該リール装置２００の後部を位置決めするための係合部６３が設けられている。この係合部６３は、例えば、載置面６１を切り欠くことで形成された切り欠き片（切欠片）を、前方やや上側に突出するように折曲げ形成することにより構成されたものである。
さらに、載置面６１のうち、リール装置２００が載置される部分を避けた位置、具体的には、例えば、載置面６１のうち、左右いずれか一方よりの位置には、配線類を挿通するための配線用挿通孔６７が形成されている。この配線用挿通孔６７に挿通される配線類には、例えば、載置面６１よりも上方に位置するリール装置２００や制御装置７０と、該載置面６１よりも下方に位置する基板ボックス７５やホッパー８０とを電気的に接続する電気配線などが含まれる。
また、載置部材６０のうち、載置面６１から手前側面６２にかけての部分には、リール装置２００の仕切り部材２１，…（図２参照）の下端部の左右方向及び奥側への移動を規制して、リール装置２００を位置決めするための位置決め用切り欠き部（切欠部）６６，６６，６６が形成されている。
加えて、載置部材６０の手前側面６２の左右の縁部には、ビスなどの止着部材を挿通して、載置部材６０を保護部材４０の固定部５５に固定するための止着穴６４，６４が形成されている。
さらに、手前側面６２の中央部の左右には、ビスなどの止着部材が螺入されて、該載置部材６０にリール装置２００の下部（リール収容部材２２の下部）が固定される止着穴６５，６５が形成されている。


【手続補正２３】
【補正対象書類名】明細書
【補正対象項目名】００４６
【補正方法】変更
【補正の内容】
【００４６】
載置部材６０を支持部５０，５０に取付けるには、先ず、図４に示す状態となるように、載置部材６０を所定位置に位置決めする。
この位置決めを行うためには、先ず、図６の（ａ）に示すように、載置部材６０を、機枠１ａの前方から支持部５０，５０の上面部５１，５１上をスライドさせて、後方（矢印Ｃ方向）に押し込む。
これにより、図６の（ｂ）に示すように、該載置部材６０の後部の左右端部がそれぞれ挟み部５２，５２と上面部５１，５１とにより挟み込まれ、かつ、該載置部材６０の後端の左右部分がそれぞれ挟み部５２，５２の基端部に当接した状態となり、図４に示すように該載置部材６０の後部が位置決めされる。
なお、この段階で、載置部材６０の手前側面６２も、支持部５０，５０の固定部５５，５５に当接することで後方への移動が規制され、位置決めされた状態となる。
このように位置決めされた載置部材６０は、手前側面６２の止着穴６４，６４を介して固定部５５，５５の止着穴５６，５６にビス３０，３０を螺入することで、支持部５０，５０に対し固定される。
この状態では、載置部材６０の後部の左右の端部は、支持部５０，５０の挟み部５２，５２および上面部５１，５１によって、後方ならびに上下方向への移動が規制されている一方で、載置部材６０の手前側面６２も支持部５０，５０の固定部５５，５５に固定されている。
つまり、載置部材６０は、後部（奥側部分）と前部（手前側部分）がともに支持部５０，５０に対し固定された状態となる。


【手続補正２４】
【補正対象書類名】明細書
【補正対象項目名】００５０
【補正方法】変更
【補正の内容】
【００５０】
また、載置部材６０を取付ける際には、該載置部材６０を、機枠１ａの前方から支持部５０，５０の上面部５１，５１上をスライドさせて、該載置部材６０の後部の左右端部がそれぞれ挟み部５２，５２と上面部５１，５１との間隔に挟み込まれ、かつ、該載置部材６０の後端の左右部分がそれぞれ挟み部５２，５２の基端部に当接するまで押し込むことで、該載置部材６０が位置決めされる。
従って、従来のように、載置部材６０を機枠１ａ内の所定位置に保持して該載置部材６０を機枠１ａにビス止めしたりする必要が無く、従来に比べて載置部材６０の取付作業が容易になる。


【手続補正２５】
【補正対象書類名】明細書
【補正対象項目名】００５３
【補正方法】変更
【補正の内容】
【００５３】
【発明の効果】
請求項１記載の発明に係る遊技機によれば、載置部材を取付ける際には、載置部材の後部の左右端部をそれぞれ挟み部と上面部との協働で挟み込み、かつ、載置部材の後端の左右部分をそれぞれ挟み部の基端部に当接するまで押し込むことで、載置部材を位置決めするので、従来に比べて、取付作業の際の位置決めが容易になる。
しかも、保護部材は把持用開口部の前後幅と略等しく設定し、断面略コ字状に折り曲げ形成すると共に、該略コ字状の開口側を把持用開口部の上縁部に嵌合させる本体部と、本体部の内側から略垂直上方に延びる垂直面と、該垂直面の上部を該垂直面と略直交するように折り曲げ形成した支持部と、を有する保護部材を本体枠に取付けるので、支持部の取付けも同時に成し得ることができ、遊技機の製造工程を短縮し、人件費などのコストダウンが可能となる。
さらに、保護部材の支持部は、把持用開口部よりも上方に位置するので、不正行為を行う目的で、把持用開口部を介して該把持用開口部より上側部分に何らかのものを差し込もうとする際に、この侵入を載置部材又は支持部が阻止できるので、不正行為が行われる可能性を低減できる。
【手続補正２６】
【補正対象書類名】明細書
【補正対象項目名】００５４
【補正方法】変更
【補正の内容】
【００５４】
請求項２記載の発明に係る遊技機によれば、載置部材は、可変表示装置を載置するための載置面に、この載置面を切り欠いて形成した切欠片を、前方やや上側に突出するように折曲げ形成した係合部と、可変表示装置の各リール同士を仕切る仕切部材の下端部の移動を規制する切欠部と、を備え、係合部が、可変表示装置の後部に係合して、可変表示装置の上方向及び後方への移動を規制し、切欠部が仕切部材の下端部の左右方向及び後方への移動を規制することで、可変表示装置が位置決めされるので、可変表示装置の位置決めが容易となる。
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】削除
【補正の内容】
【手続補正３０】
【補正対象書類名】明細書
【補正対象項目名】符号の説明
【補正方法】変更
【補正の内容】
【符号の説明】
１ａ      機枠（本体枠）
２０ａ，２０ｂ，２０ｃ    リール
２１      仕切部材
４０      保護部材
４１      本体部（保護部材）
４４      垂直面（保護部材）
５０      支持部（支持部、支持部材）
５１      上面部
５２      挟み部
６０      載置部材
６１      載置面
６３      係合部
６６      切欠部
１００    パチスロ遊技機（遊技機）
１０１    側壁
１０２    側壁
１１１    把持用開口部
１１２    把持用開口部
２００    リール装置（可変表示装置）